(57)【要約】【課題】パウチ内の詰替え品等の内容物が少量になってもパウチの形状を容易且つ確実に所定の状態に保持し得るようにしたパウチ保持カバーを提供する。【解決手段】パウチ１を収納可能で且つ側部を人が把持できるようにした自立可能な程度の硬さの保持カバー本体３を備える。保持カバー本体３には、パウチ１の注ぎ口１ａから取外したキャップ１ｂを係止させるようにした溝を形成する。【選択図】図７
0003107258.tif 000002
【実用新案登録請求の範囲】
【請求項１】
注ぎ口を備えたパウチを前記注ぎ口が外方へ突出するよう収納可能で、しかも、前記注ぎ口が突出する側とは反対側の側部を把持し得るようにした保持カバー本体を備えたことを特徴とするパウチ保持カバー。
【請求項２】
保持カバー本体は自立可能に構成されている請求項１に記載のパウチ保持カバー。
【請求項３】
保持カバー本体の上端には、当該保持カバー本体に収納されたパウチを押える蓋体を設けた請求項１又は２に記載のパウチ保持カバー。
【請求項４】
保持カバー本体の上側部は、幅方向外方へ向けて下り傾斜に形成され、該傾斜部には、パウチの注ぎ口が突出し得るよう開口部が形成されている請求項１乃至３記載の何れかに記載のパウチ保持カバー。
【請求項５】
保持カバー本体には、パウチの注ぎ口から取外したキャップを係止させるようにした溝を形成した請求項１乃至４の何れかに記載のパウチ保持カバー。
【考案の詳細な説明】
【技術分野】
【０００１】
本考案はパウチ保持カバーに関するものである。
【背景技術】
【０００２】
美容院や理容院若しくは家庭で使用する液体シャンプー、リンス、液体洗剤等の詰替え用品は、合成樹脂製或はアルミ箔製のパウチに収納したものを購入し、必要に応じて詰替え容器に小分けして使用することが行なわれている。
【０００３】
図９はパウチに収納されている詰替え用品を詰替え容器に詰替える従来のやり方を示し、図中、１は、液体シャンプー、リンス、液体洗剤等の詰替え用品が収納された、合成樹脂製或はアルミ箔製のパウチ、２は詰替えられた詰替え用品が収納される詰替え容器である。而して、詰替え時には、パウチ１の上側斜辺部に設けられている注ぎ口１ａに外嵌されているキャップを取外したうえ、例えば人が右手にパウチ１を、又、左手にキャップを取外した詰替え容器２を持ち、パウチ１の注ぎ口１ａを詰替え容器２の口２ａにあてがい、徐々にパウチ１を傾けつつ詰替え用品を詰替え容器２に注入するようにしている。
【考案の開示】
【考案が解決しようとする課題】
【０００４】
しかしながら、パウチ１は合成樹脂製或はアルミ箔製で軟質であるため、パウチ１内の詰替え用品の残りが少なくなってくると、パウチ１が変形して所定の形状を保持することができず、従って、パウチ１から詰替え容器２への詰替え用品の詰替えが困難になるという問題がある。
【０００５】
本考案は、斯かる実情に鑑み、パウチ内の詰替え品等の内容物が少量になってもパウチの形状を容易且つ確実に所定の状態に保持し得るようにしたパウチ保持カバーを提供することを目的としてなしたものである。
【課題を解決するための手段】
【０００６】
請求項１のパウチ保持カバーは、注ぎ口を備えたパウチを前記注ぎ口が外方へ突出するよう収納可能で、しかも、前記注ぎ口が突出する側とは反対側の側部を把持し得るようにした保持カバー本体を備えたものである。
【０００７】
請求項２のパウチ保持カバーにおいては、保持カバー本体は自立可能に構成されており、請求項３のパウチ保持カバーにおいては、保持カバー本体の上端には、当該保持カバー本体に収納されたパウチを押える蓋体が設けられており、請求項４のパウチ保持カバーにおいては、保持カバー本体の上側部は、幅方向外方へ向けて下り傾斜に形成され、該傾斜部には、パウチの注ぎ口が突出し得るよう開口部が形成されており、請求項５のパウチ保持カバーにおいては、保持カバー本体には、パウチの注ぎ口から取外したキャップを係止させるようにした溝が形成されている。
【考案の効果】
【０００８】
本考案の請求項１〜５記載のパウチ保持カバーによれば、パウチ内の内容物の残りが少なくなった場合でも、パウチが変形することなく、所定の形状を保持でき、従って、パウチからの内容物の注出を容易且つ確実に行なうことができ、又、請求項５の場合は、取外したパウチのキャップを紛失する虞がない、等種々の優れた効果を奏し得る。
【考案を実施するための最良の形態】
【０００９】
以下、本考案の実施の形態を図示例と共に説明する。
図１〜図８は本考案を実施する形態の一例である。
本図示例のパウチ保持カバーは自立可能な硬さの合成樹脂製或はボール紙製若しくは薄板金属製であり、有蓋で多角形筒状の保持カバー本体３を備えている。又、保持カバー本体３は、前面部４及び前面部４の後側に位置する後面部５並びに前面部４と後面部５の幅方向Ｗ両側に、前面部４と後面部５とを一体的に連結するよう接合された側面部６，７、並びに前面部４と後面部５の下端に一体的に形成された底面部８を備えている。
【００１０】
前面部４及び後面部５は、図１に示すように正面視で、上端側から底面側に行くに従い幅方向Ｗの寸法が若干広がる略矩形状に形成されている。又、前面部４及び後面部５は、図２及び図３に示すように、組付け状態において上端部を頂点として下方へ行くに従い前面方向及び後面方向に向けて円弧状に徐々に広がり、且つ、上端部から若干下方から底面部８へ向けて略直線状に僅かに広がるように形成されている。前面部４及び後面部５の上端部は接続されず、分離されている。
【００１１】
図１に示すように、側面部６，７の上部側は前面部４及び後面部５の両端側から幅方向Ｗ外方へ向けて下り傾斜に形成されている。又、側面部６，７における上側の傾斜部から下方は、下端側に向かって僅かに幅方向Ｗにおける間隔が狭まるように形成されており、且つ、下端側に向かって間隔が狭まる部分における幅方向外側部は曲折されて、上下に延在する縁部６ａ，７ａが形成されている（図１〜図４参照）。
【００１２】
前面部４及び後面部５の下端部には、下方へ僅かに突出する支持突起９が片面２箇所、合計４箇所設けられている。
【００１３】
後面部５の上端には、折曲げ可能に舌片状の蓋体１０が一体的に設けられており、蓋体１０は前面部４側の上端部から所定距離下方に水平に形成されたスリット１１に挿入されるようになっている。而して、蓋体１０をスリット１１に挿入した場合には、蓋体１０の凹部１０ａはスリット１１両端部の小孔部１１ａ内周部に係止されるようになっている。又、前面部４の上端には、折曲げ可能に小舌片状の押え部１２が一体的に設けられており、蓋体１０をスリット１１に所定状態に挿入した場合は、押え部１２は後面部５の上端縁部を内側から支持し得るようになっている（図５参照）。
【００１４】
側面部６の幅方向Ｗ外側端部における縁部６ａには、図２に示すように、逆凹形状に溝１３が形成されている。又、側面部６，７の上端傾斜部には、図２、図３等に示すように、側面視で楕円形に近い形状となるよう開口部６ｂ，７ｂが形成されており、側面部６，７の下端部にも開口部が形成されている。
【００１５】
次に、上記図示例の作動を説明する。
本図示例の場合、詰替え用品が収納されたパウチ１は、その底面が保持カバー本体３の底面部８に支持されるよう、保持カバー本体３に収納されており（図６参照）、キャップ１ｂが螺着されたパウチ１の注ぎ口１ａ側は、側面部６の上部傾斜部において、開口部６ｂ側から保持カバー本体３の外方へ突出している。又、保持カバー本体３の蓋体１０は折曲げられてスリット１１に挿入されると共に、蓋体１０端部の凹部１０ａはスリット１１両端部の小孔部１１ａ内周部に係止することにより、蓋体１０はスリット１１に対し固定されている。
【００１６】
而して、パウチ１の収納された保持カバー本体３は支持突起９を介して保管場所に自立状態で保管されている。
【００１７】
パウチ１に収納された詰替え用品を他の詰替え容器２に詰替える際には、パウチ１における注ぎ口１ａのキャップ１ｂを取外し、取外したキャップ１ｂを図８に示すように逆凹形状の溝１３に挿入して保持カバー本体３の側面部６における縁部６ａに係止させ、支持させる。
【００１８】
而して、人は図７に示すように、例えば、右手に保持カバー本体３の側面部７を、又、左手にキャップ１ｂを取外した詰替え容器２を持ち、パウチ１の注ぎ口１ａを詰替え容器２の口２ａにあてがい、徐々にパウチ１を傾けつつ詰替え用品を詰替え容器２に注入する。
【００１９】
このように、パウチ１を保持カバー本体３に保持させて詰替え用品の詰替えを行なうようにしているため、パウチ１内の詰替え用品の残りが少なくなった場合でも、パウチ１が変形することなく、所定の形状を保持でき、従って、パウチ１から詰替え容器２への詰替え用品の詰替えを容易且つ確実に行なうことができる。
【００２０】
又、取外したパウチ１のキャップ１ｂは溝１３に挿入して側面部６における縁部６ａに係止させることができるため、詰替え作業時にキャップ１ｂを紛失する虞がない。
【００２１】
なお、本考案のパウチ保持カバーは、詰替え用品をパウチから他の容器に詰替える場合について説明たが、詰替える場合のみに限らずパウチの内容物を注出する際には、どのような場合においても使用可能なこと、その他、上述の図示例にのみ限定されるものではなく、本考案の要旨を逸脱しない範囲内において種々変更を加え得ることは勿論である。
【図面の簡単な説明】
【００２２】
【図１】本考案のパウチ保持カバーの実施の形態の一例を示す正面図である。
【図２】図１のＩＩ−ＩＩ方向矢視図である。
【図３】図１のＩＩＩ−ＩＩＩ方向矢視図である。
【図４】図１のＩＶ−ＩＶ方向矢視図である。
【図５】図２のＶ部拡大断面図である。
【図６】本考案のパウチ保持カバーにパウチを収納した状態を示す正面図である。
【図７】本考案のパウチ保持カバーを用いてパウチに収納されている詰替え用品を詰替え容器に詰替えている状態を示す概念図である。
【図８】図７のＶＩＩＩ部拡大断面図である。
【図９】詰替え用品をパウチから詰替え用の容器に詰替える従来の状態を示す概念図である。
【符号の説明】
【００２３】
１  パウチ
１ａ        注ぎ口
１ｂ        キャップ
２  詰替え容器（他の容器）
３  保持カバー本体
６ｂ       開口部
１０  蓋体
１３  溝
【図１】
0003107258.tif 000003
【図２】
0003107258.tif 000004
【図３】
0003107258.tif 000005
【図４】
0003107258.tif 000006
【図５】
0003107258.tif 000007
【図６】
0003107258.tif 000008
【図７】
0003107258.tif 000009
【図８】
0003107258.tif 000010
【図９】
0003107258.tif 000011